(57)【特許請求の範囲】
【請求項１】
複数の吐水部からの吐水及び吐水停止をそれぞれ独立して行うための複数の弁手段と、
該複数の弁手段をそれぞれ独立して開閉操作するための複数のレバーハンドルと
を備えた水栓装置であって、
複数のレバーハンドルにそれぞれ前方に向けて突出する同じ断面形状の操作部を設け、
各操作部はそれぞれ上面側が押し下げ用の操作部、下面側が押し上げ用の操作部となり、且つ、各操作部はいずれも押し上げ・押し下げ操作のみが可能なように上下方向にのみ可動自在となり、
各レバーハンドルはいずれも操作部を上に上げた状態又は下に下げた状態の一方がそれぞれ対応する弁手段がいずれも開で、他方がいずれも閉となり、且つ、各操作部の全開位置の姿勢がそれぞれ同じで各操作部の閉位置の姿勢がそれぞれ同じであり、
前記複数のレバーハンドルの操作部が横方向に連続するよう並設され、
前記押し下げ用の操作部および前記押し上げ用の操作部のうちのいずれか又は両方が、正面から見て、上方または下方に突曲しており、これにより、各操作部が全開位置の姿勢となるか又は各操作部が閉位置の姿勢となると、隣り合う操作部の境界部分が凹状または凸状に形成されるものである
ことを特徴とする水栓装置。
【請求項２】
複数のレバーハンドルの各操作部に微小な凸又は凹の立体表示を設け、各操作部毎に立体表示を異ならせて成る
ことを特徴とする請求項１記載の水栓装置。
【発明の詳細な説明】
【技術分野】
【０００１】
本発明は、水栓装置に関するものである。
【背景技術】
【０００２】
従来から、カラン吐水部、シャワー吐水部という２つの吐水部からの吐水及び吐水停止をそれぞれ独立して行うための２つの開閉弁と、該２つの開閉弁をそれぞれ独立して開閉操作するための２つの押釦（カラン吐水用の押釦と、シャワー吐水用の押釦）とを備えた水栓装置が特許文献１により知られている。
【０００３】
この特許文献１に示される従来例にあっては、水栓装置の断熱カバーに露出するように上記カラン吐水用の押釦と、シャワー吐水用の押釦とを設けたもので、この２つの押釦はいずれも止水位置において押釦の上面部を押す操作をすることで、押釦の高さが上記止水位置よりも若干高くなって吐水位置となり、この吐水位置にある押釦の上面部を押し操作することで、押釦の高さが上記吐水位置よりも若干低くなって止水位置に戻るようになっている。
【０００４】
つまり、止水から吐水への操作、吐水から止水への操作のいずれの操作も、押釦の上面部を押す操作をすることによりおこなっている。
【０００５】
ところで、シャンプーなどで髪を洗っている時や、洗顔している時のように、押釦を目でみることなく手探りで探し、押釦を操作して吐水や止水を行う場合がある。このような場合、使用者は、手探りで目的とする押釦を探し、手探りで探した押釦の上面部を押すことで、目的の吐水部から吐水したり、止水したりするものである。
【０００６】
ここで、例えば、シャワー吐水部が止水で且つカラン吐水部が吐水の状態で、石鹸などで洗顔している時、カラン吐水部の吐水を止めようとする際、手探りで、押釦を探して、手に触れた押釦の上面部を押し操作して吐水状態のカラン吐水部を止水状態に切り換えるのであるが、この場合、間違って、シャワー吐水用の押釦の上面部を押し操作して止水中のシャワー吐水部からいきなり湯水が吐水されてしまうことがある。
【０００７】
また、シャワー吐水部が吐水で且つカラン吐水部が止水の状態で、シャンプーなどで髪を洗っている時、シャワー吐水部の吐水を止めようとする際、手探りで、押釦を探して、手に触れた押釦の上面部を押し操作して吐水状態のシャワー吐水部を止水状態に切り換えるのであるが、この場合、間違って、カラン吐水用の押釦の上面部を押し操作して止水中のカラン吐水部からいきなり湯水が吐水されてしまうことがある。
【０００８】
また、２つの吐水部のうち、いずれか一方が吐水、いずれか他方が止水状態において、２つの吐水部の両方とも吐水するように操作するには、止水状態と吐水状態とで僅かに高さが異なる２つの押釦の高さの差を手で確認しながら、僅かに低い方の押釦を押す操作をすることで、両吐水部から共に吐水でき、また、２つの吐水部のうち、いずれか一方から吐水、いずれか他方が止水状態において、２つの吐水部の両方とも止水するように操作するには、止水状態と吐水状態とで僅かに高さが異なる２つの押釦の高さの差を手で確認しながら、僅かに高い方の押釦を押す操作をすることで、両吐水部を共に止水にできるのであるが、この２つの押釦における止水と吐水とのわずかな高さの差を手探りで探して確認するのは、きわめて難しく、誤操作してしまうおそれがある。
【０００９】
なお、上記の従来例にあっては、２つの押釦の上面に識別マーク部を係止により取付け、視覚的にシャワー吐水用の押釦と、カラン吐水用の押釦とを識別できるようになっているが、２つの押釦を目視することなく手探りで探す場合、識別マークを手指で触れても識別することができず、結局、手探りで操作する場合、上記したような誤操作をしてしまうおそれがある。
【００１０】
このように、目で確認できない状況下で手探りにより、複数の押釦の中から目的とする押釦の操作を行わなければならない場合、上記従来例においては誤操作をする恐れがあり、特に、水栓装置を目で確認していない状況下で、予期していない別の吐水部から急に吐水が行われると、洗顔中の人にいきなりシャワー水がかかったり、あるいは洗髪中の人の足元にいきなり湯水が吐水されたり、あるいは、止水したくないのに突然止水したりするといった事態が生じ、目で見ていないだけに不安感があり、快適な使用ができないという問題がある。
【００１１】
また、例えば、２つの吐水部のうち、いずれか一方から湯水を吐水したまま放置して止水するのを忘れていたような時、一方の吐水部から湯水が吐水しているのに気付き、あわてて止水しようとする場合、あわてているので、２つの押釦のうち、誤って別の吐水部の押釦を押し操作してしまって、別の吐水部から湯水がいきなり吐水してしまう場合もある。
【００１２】
この場合は、２つの押釦が一応、目に見えているが、あわてているため、誤って別の押釦を押し操作してしまうのである。
【特許文献１】特開２００４−９２０６９号公報
【発明の開示】
【発明が解決しようとする課題】
【００１３】
本発明は上記の従来の問題点に鑑みて発明したものであって、複数のレバーハンドルの各操作部をそれぞれ独立して上下移動操作することで、対応する吐水部における吐水、止水の操作を簡単な操作で確実にでき、また、複数の吐水部のうちある吐水部が吐水で他の吐水部が止水となっている状態において、吐水中の吐水部を止水にする操作をする際、あやまって、他の吐水部から吐水されるというような誤操作を防止でき、また、全ての吐水部が止水となっている状態、すべての吐水部が全開している状態がどの方向から見ても明確に確認でき、また、複数の操作部を手探りで探して目的とする操作部を上方又は下方に移動操作するに当たって、目的とする操作部を簡単に確認して誤操作を無くすことができる水栓装置を提供することを課題とするものである。
【課題を解決するための手段】
【００１４】
上記課題を解決するために本発明に係る水栓装置は、複数の吐水部２からの吐水及び吐水停止をそれぞれ独立して行うための複数の弁手段７と、該複数の弁手段７をそれぞれ独立して開閉操作するための複数のレバーハンドル３とを備えた水栓装置６であって、複数のレバーハンドル３にそれぞれ前方に向けて突出する同じ断面形状の操作部４を設け、各操作部４はそれぞれ上面側が押し下げ用の操作部４ａ、下面側が押し上げ用の操作部４ｂとなり、且つ、各操作部４はいずれも押し上げ・押し下げ操作のみが可能なように上下方向にのみ可動自在となり、各レバーハンドル３はいずれも操作部４を上に上げた状態又は下に下げた状態の一方がそれぞれ対応する弁手段７がいずれも開で、他方がいずれも閉となり、且つ、各操作部４の全開位置Ａの姿勢がそれぞれ同じで各操作部４の閉位置Ｂの姿勢がそれぞれ同じであり、前記複数のレバーハンドル３の操作部４が横方向に連続するよう並設され、前記押し下げ用の操作部４ａおよび前記押し上げ用の操作部４ｂのうちのいずれか又は両方が、正面から見て、上方または下方に突曲しており、これにより、各操作部４が全開位置の姿勢となるか又は各操作部４が閉位置の姿勢となると、隣り合う操作部４の境界部分が凹状または凸状に形成されるものであることを特徴とするものである。
【００１５】
このような構成とすることで、水栓装置６に設けた複数のレバーハンドル３はいずれも前方に向けて突出した各操作部４を押し上げ操作、押し下げ操作するだけで簡単な操作で各吐水部２からの吐水、止水を独立して行うことができると共に、前方に向けて突出した各操作部４はいずれも押し下げ操作と押し上げ操作が反対方向の操作であるため、手探りであっても前方に向けて突出した操作部４に手を添えて簡単に上下移動操作できると共に直接目で確認しなくて手探りで行っても操作に誤りがない。
【００１６】
このため、複数の吐水部２がいずれも止水状態において、複数の吐水部２のうち一方から吐水させたり、あるいは他の吐水部２から吐水させたり、あるいは、複数の吐水部２から同時に吐水させたりする操作が簡単にできると共に、複数の吐水部２がいずれも吐水状態において、複数の吐水部２のうち一方を止水させたり、あるいは他の吐水部２を止水させたり、あるいは、複数の吐水部２を同時に止水させたりする操作が簡単にできる。特に、前方に向けて突出した各操作部の押し上げ操作と押し下げ操作とで開閉が決まっているので、例えば、シャンプーなどで髪を洗っているときや、洗顔している時のように、手探りでレバーハンドル３の前方に突出した操作部４を探して、操作する場合でも現在行おうとしている操作が開操作であるか、閉操作であるかを間違うことがない。
【００１７】
また、例えば、一方の吐水部２（シャワー用吐水部）が止水で且つ他の吐水部（カラン用吐水部）が吐水の状態で、石鹸などで洗顔している時、他の吐水部における吐水を止めようとして、手探りで、他の操作部４（カラン用の操作部）を探して該他方の操作部４を止水側に操作する際、誤って一方の操作部４（シャワー用の操作部）側を止水側に操作しても、既に止水しているため、一方の吐水部２（シャワー用吐水部）から突然吐水されるというようなおそれがなく、また、一方の吐水部２（シャワー用吐水部）が吐水で且つ他の吐水部２（カラン用吐水部）が止水の状態で、シャンプーなどで洗髪している時、一方の吐水部における吐水を止めようとして、手探りで、一方の操作部４（シャワー用の操作部）を探して該一方の操作部４を止水側に操作する際、誤って他方の操作部４（カラン用の操作部）側を止水側に操作しても、既に止水しているため、他方の吐水部２（カラン用吐水部）から突然吐水されるというようなおそれがなく、このように、複数の操作部４を手探りで探して操作する際に、上記のような操作すべき操作部４を仮に間違えたとしても、操作部４の操作方向さえ間違っていなければ、手探りであっても予期していない吐水部２から突然吐水されるというような事態が生じることがなく、安心して洗顔や洗髪ができる。
【００１８】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとする場合、あわてているので、誤って別の吐水部２の操作部４を止水側に操作しても、別の吐水部２から突然吐水されるというような事態が生じない。
【００１９】
また、複数のレバーハンドル３にそれぞれ前方に向けて突出する同じ断面形状の操作部４を設け、各操作部４はそれぞれ上面側が押し下げ用の操作部４ａ、下面側が押し上げ用の操作部４ｂとなり、各操作部４の全開位置Ａの姿勢がそれぞれ同じで各操作部４の閉位置Ｂの姿勢がそれぞれ同じであるので、前方に突出した複数の操作部４がいずれも閉状態及び全開状態においては、複数の操作部４が上面側及び下面側のいずれにおいても、段差無く前方に突出している姿勢となり全ての吐水部が止水となっている状態、すべての吐水部が全開している状態がどの方向からみても明確に確認でき、また、前方に突出した複数の操作部４の上面の各押し下げ用の操作部４ａ、下面の各押し上げ用の操作部４ｂの掃除性が良い。
【００２０】
また、複数のレバーハンドル３の各操作部４に微小な凸又は凹の立体表示８を設け、各操作部４毎に立体表示８を異ならせることが好ましい。
【００２１】
このような構成とすることで、上記のように複数の操作部４のうち目的とする操作部４を手探りで探すとき、各操作部４に設けた微小な凸又は凹の立体表示８を手指で触れて確認することで、簡単に手探りで目的とする操作部４を確認でき、これにより、探し当てた目的とする操作部４を上方に移動するか、下方に移動するかの操作をすることで、手探りであっても確実に目的とする吐水部２から吐水又は止水できる。
【発明の効果】
【００２２】
本発明の請求項１記載の発明にあっては、上記のように複数のレバーハンドルはいずれも前方に突出した操作部の押し上げ操作、押し下げ操作をするだけで簡単に各吐水部からの吐水、止水を独立して行うことができると共に、前方に突出した操作部の押し下げ操作と押し上げ操作は反対方向の操作であるため、手探りであっても前方に突出した操作部に手を添えて簡単に上下移動操作できると共に直接目で確認しなくて手探りで行っても確実に吐水、止水の操作ができ、特に、洗顔や洗髪中に複数の操作部を手探りで探して操作する際に、誤って目的の操作部とは別の操作部を操作したとしても、操作部の操作方向さえ間違っていなければ、手探りであっても予期していない吐水部から突然吐水されるというような事態が生じることがなく、安心して洗顔や洗髪ができ、この結果、複数の吐水部を備えた水栓装置において複数のレバーハンドルの操作が、前方に突出した操作部を上方又は下方に操作するだけで操作性よく且つ安全にできる。また、段差無く前方に突出している姿勢となり、全ての吐水部が止水となっている状態、すべての吐水部が全開している状態がどの方向から見ても明確に確認でき、また、前方に突出した複数の操作部の上面の各押し下げ用の操作部、下面の各押し上げ用の操作部の掃除性が良くなる。
【００２３】
また、請求項２記載の発明にあっては、上記請求項１記載に記載した発明の効果に加えて、複数の操作部のうち目的とする操作部を手探りで探すとき、各操作部に設けた微小な凸又は凹の立体表示を手指で触れて確認することで、簡単に手探りで目的とする操作部を確認して、探し当てた目的とする操作部を上方に移動するか、下方に移動するかの操作をすることで目的とする操作部を正しく操作することができ、誤操作を無くすことができる。
【発明を実施するための最良の形態】
【００２４】
以下、本発明を添付図面に示す実施形態に基いて説明する。
【００２５】
図１乃至図５には本発明の水栓装置６の一実施形態が示してある。水栓装置６は、基体１０に、湯水混合部１と、弁機構部９と、カバー部１１を取付けて主体が構成してある。
【００２６】
湯水混合部１は、外郭を構成する筒部１３の外周部の軸方向に水流入部１４と湯流入部１５を並設して設けると共に湯水流出部１６を設け、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００２７】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は上面部が湯水混合用の押し下げ用の操作部１９ａ、下側が湯水混合用の押し上げ用の操作部１９ｂとなっている。添付図面に示す実施形態では湯温調整用の操作部１９は略平板状をしている。
【００２８】
弁機構部９は、外郭を構成する筒体部２０の軸方向の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの弁手段７を構成する回動弁２３（２３ａ、２３ｂ）と、両回動弁２３の端部に連結されて各回動弁２３を回動操作するための２つのレバーハンドル３とを備えることで一つのユニットとして構成してある。
【００２９】
各回動弁２３はそれぞれ軸方向の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整ができるようになっている。２つの流出孔２２には後述のようにそれぞれ吐水部２が連通接続される。
【００３０】
筒体部２０内にそれぞれ回動自在に嵌め込んだ各回動弁２３の開口部２４と反対側の軸方向の端部には各レバーハンドル３の後端部の取付け部２７がそれぞれ筒体部２０の軸方向の両側端面に沿うように取付けてあり、この筒体部２０の両側端面に沿うように両回動弁２３の端部に取付けた２個のレバーハンドル３の前部が筒体部２０の前面よりも前方に突出形成してあって操作部４となっている。
【００３１】
図２に示す実施形態では、取付け部２７の前端部から筒体部２０の前面よりも前方に突出するように形成した操作部４は、取付け部２７の前端部の軸方向の外側端部から筒体部２０の軸方向の中間部分まで至る横長さとなっており、両側のレバーハンドル３の前部に設けた両操作部４の後端部により筒体部２０の前面が覆われるようになっている。各操作部４は同じ断面形状をしており、各操作部４の後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００３２】
各操作部４は上方への押し上げ・下方への押し下げ操作のみが可能なように上下方向にのみ可動自在となり、各レバーハンドル３はそれぞれ操作部４を上に上げた状態又は下に下げた状態の一方が対応する弁手段７である回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。
【００３３】
同じ断面形状をした各操作部４の全開位置Ａの姿勢がそれぞれ同じであり、また、各操作部４の閉位置Ｂの姿勢がそれぞれ同じであるので、前方に突出した複数の操作部４がいずれも閉状態及び全開状態においては、複数の操作部４が上面側及び下面側のいずれにおいても、段差無く前方に突出している姿勢となり全ての吐水部が止水となっている状態、すべての吐水部が全開している状態がどの方向からみても明確に確認できる。
【００３４】
また、前方に突出した複数の操作部４は閉状態で段差無く前方に突出している姿勢となるので、各操作部４の上面の各押し下げ用の操作部４ａ、下面の各押し上げ用の操作部４ｂの掃除がしやすくなる。
【００３５】
また、各操作部４の上記開位置Ａと閉位置Ｂとの間が該当する吐水部２から吐水する湯水の流量を調整する水量調整域Ｃとなっている。
【００３６】
各操作部４は、湯温調整用レバーハンドル１８の湯温調整用の操作部１９とその断面形状が同じ又はほぼ同じ形状をしている。
【００３７】
また、本発明においては、各操作部４の上面には微小な凸又は凹の立体表示８が設けてあり、この立体表示８は各操作部４毎に異ならせてある。
【００３８】
したがって、複数の操作部４の上面に設けた立体表示８を見ることで、視覚的に各操作部４の識別ができるのはもちろん、立体表示８を手指で触れることで、手で触れただけでも各操作部４の識別が確実にできるようになっている。
【００３９】
上記のようにユニット化された湯水混合部１と、ユニット化された弁機構部９とをそれぞれ基体１０にねじ具２９により固着することで取付けてある。
【００４０】
ここで、図２に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００４１】
この場合、ユニット化された弁機構部９の筒体部２０の一側面に一方のレバーハンドル３を介して湯水混合部１の筒部１３の湯温調整用レバーハンドル１８を設けていない方の側端面を隣接配置されるものである。
【００４２】
また、湯水流出部１６と流入孔部２１とが接続管３４で連通接続される。
【００４３】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管２２ａ１、２２ｂ１のうち一方、図３、図４においては流出管４５ａは先端部がそのまま吐水部２（カラン吐水部２ａ）となっていて、一方の流出孔２２ａの真下に配設してあって、下方に吐水するようになっている。
【００４４】
基体１０には更にカバー部１１が取付けられ、カバー部１１により弁機構部９の筒体部２０、両レバーハンドル３の後端部の取付け部２７、湯水混合部１の筒部１３を覆うようになっている。
【００４５】
カバー部１１には前面部に前面開口部３１が設けてあり、この前面開口部３１から両レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００４６】
各レバーハンドル３の操作部４の後端に設けた覆い部２８によりカバー部１１の前面開口部３１を遮蔽するようになっており、これにより、レバーハンドル３を回動しても筒体部２０の前面が外部に露出することなく覆い部２８により覆われるようになっている。
【００４７】
したがって、筒体部２０、操作部４の取付け部２７はカバー部１１及び覆い部２８に覆われて、この部分が施工状態において外部に露出しないようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００４８】
また、カバー部１１は湯水混合部１の筒部１３を覆って筒部１３が施工状態において外部に露出しないようになっており、更に、このカバー部１１の湯水混合部１を覆っている部分の前面部から前方に向けて一体に略平板状をした操作することができないダミー操作部３３が突出してある。
【００４９】
ここで、ダミー操作部３３の断面形状は、前述の操作部４、湯温調整用の操作部１９とその断面形状が同じ又はほぼ同じ形状をしている（実施形態では略平板状をしている）。
【００５０】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、２つの隣接するレバーハンドル３の各操作部４のうち一方の操作部４ａとの間に介在してある。このようにレバーハンドル３の操作部４と、湯温調整用レバーハンドル１８の湯温調整用の操作部１９との間にダミー操作部３３を介在させることで、操作部４の操作の際に誤って湯温調整用の操作部１９を操作したり、あるいは、湯温調整用の操作部１９を操作する際に誤って操作部４を操作することがないように、ダミー操作部３３が両者の仕切りの役目をする。
【００５１】
本実施形態では両レバーハンドル３の操作部４は略平板状をしていて、各操作部４が閉位置Ｂとなった状態で互いに上面が面一となり、更に、この操作部４が閉位置Ｂの状態で上面が略平板状をしたダミー操作部３３の上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００５２】
また、湯温調整用レバーハンドル１８の湯温調整用の操作部１９は、湯温調整用の操作部１９の上面が上記略平板状をしたダミー操作部３３の上面と面一となった位置がちょうど湯温略４０℃となるように設定してある。したがって、湯温調整用レバーハンドル１８の湯温調整用の操作部１９が湯温調整用レバーハンドル１８の略平板状をした湯温調整用の操作部１９の上面と略平板状をしたダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００５３】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００５４】
上記のような構成の水栓装置６は、給水用接続管１４ａに水道管を接続し、給湯用接続管１５ａに給湯管を接続する。
【００５５】
ところで、上記実施形態では、各操作部４それぞれ略平板状をしていて、各操作部４全開位置Ａの姿勢がそれぞれ同じでそれぞれ面一に連続し、且つ、各操作部４の閉位置Ｂの姿勢がそれぞれ同じでそれぞれ面一に連続する例で説明したが、各操作部４はそれぞれ全開位置Ａの姿勢がそれぞれ同じで、また、それぞれ閉位置Ｂの姿勢が同じであれば、必ずしも略平板状である必要はなく、同じ断面形状であれば、例えば、図１６に示すように、複数の操作部４が上方又は下方に突曲したもの等であってもよい。この場合、図１６においては、ダミー操作部３３、湯温調整用の操作部１９を操作部４と同じ断面形状としているが、ダミー操作部３３、湯温調整用の操作部１９は操作部４と異なる断面形状であってもよい。
【００５６】
また、図１乃至図５に示す実施形態では、水栓装置６を浴室や洗面化粧台などに設定する例を示しており、他方の流出管４５ｂにはシャワーホース３５の一端が接続され、該シャワーホース３５の他端のシャワーヘッド３６が他方の吐水部２（シャワー吐水部２ｂ）となっている。
【００５７】
上記のように施工された水栓装置６の使用に当たっては、カラン吐水部２ａの吐水、止水をする場合は、一方のレバーハンドル３の操作部４を押し上げ操作、押し下げ操作することにより行い、また、シャワー吐水部２ｂの吐水、止水をする場合は、他方のレバーハンドル３の操作部４を押し上げ操作、押し下げ操作することにより行う。そして、これらの各レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００５８】
そして、本発明においては、各操作部４がいずれも押し下げ操作と押し上げ操作が反対方向の操作であり、また、各操作部４に異なる微小な凸又は凹の立体表示８を設けてあるので、手探りであっても操作部４に手を添えて立体表示８により目的とする操作部４を探し、このようにして手探りで容易に探し当てた目的とする操作部４を押し上げ操作又は押し下げ操作をすることで、直接目で確認しなくても誤り無く操作ができる。
【００５９】
このように、各操作部はいずれも押し上げ操作と押し下げ操作とで開閉が決まっていると共に、各操作部４に異なる立体表示８が設けてあるので、シャンプーなどで髪を洗っているときや、洗顔している時のように、水栓装置６を目で見ることなく、手探りで目的とするレバーハンドル３の操作部４を探して、操作する場合でも誤操作することがない。
【００６０】
ところで、例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際や、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、上記のように操作部４に立体表示８に手指を触れることで目的とする操作部４を探すことで、目的とする操作部４を探すことができるようになっているが、立体表示８による区別を忘れていたり、あるいは、勘違いにより誤って目的でない操作部４を止水側に操作したとしても（前者においては誤ってシャワー用の操作部４を止水側に操作したとしても、後者においては誤ってカラン用の操作部４を止水側に操作したとしても）、目的としない吐水部２（前者においてはシャワー吐水部２ｂ、後者においてはカラン吐水部２ａ）が止水となっているので、目的としない吐水部２（前者においてはシャワー吐水部２ｂ、後者においてはカラン吐水部２ａ）から突然吐水されるというようなおそれがない。
【００６１】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００６２】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとすることがあるが、この場合、あわてていて、誤って別の吐水部２の操作部４を止水側に操作しても、別の吐水部２から突然吐水されるというような事態が生じることがない。
【００６３】
上記のように、各レバーハンドル３の操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００６４】
したがって、本発明においては、複数の吐水部２に対応して、別部材としての複数の流量調整弁とこれを操作するための複数の操作部とを必要とせず、水栓装置６の小型化、部品点数の削減が可能となる。また、各操作部４の上下方向の移動のみで対応する吐水部２からの吐水、止水と流量調整とが同時にできるので、操作性が向上する。
【００６５】
しかも、上記複数のレバーハンドル３が湯温調整用レバーハンドル１８と別体なので、複数のレバーハンドル３をそれぞれ独立して操作する際、いずれのレバーハンドル３を操作する際も誤って湯温が変えられて高温の湯や低温の水が吐出する恐れがない。
【００６６】
本発明においては、湯温調整用レバーハンドル１８の湯温調整用の操作部１９の上面にも微小な凸又は凹の湯温調整用立体表示３７を設けてある。この湯温調整用立体表示３７は前述の複数のレバーハンドル３の各操作部４に設けた立体表示８とはいずれも異なっていて、手指で触れた際に上記した各表示部４の立体表示８と識別できるようになっている。したがって、湯温調整用レバーハンドル１８の湯温調整用の操作部１９を手探りで探す際に、複数のレバーハンドル３の各操作部４と正確に識別でき、湯温調整用の操作部１９を間違いなく探して湯温の調整ができる。
【００６７】
上記のように、複数の操作部４にそれぞれ異なる立体表示８を設けると共に、湯温調整用の操作部１９にこれらの立体表示８とは異なる湯温調整用立体表示３７が設けてあるので、操作部４と湯温調整用の操作部１９との間に介在されているダミー操作部３３の上面には専用の立体表示を設けなくても、手で触った際に、立体表示がないという手指の感触でダミー操作部３３であると確認できる。しかしながら、更により確実にダミー操作部３３を手指で触れた際に他の操作部と識別できるようにするために、図１５のようにダミー操作部３３の上面にも微小な凸又は凹のダミー用立体表示３８を設けてもよい。これにより、手探りで目的とする操作部４や湯温調整用の操作部１９を探す際に、手探りでダミー操作部３３と明確に識別でき、誤ってダミー操作部３３に操作のために力を加えるというようなことがない。
【００６８】
また、図１乃至図５に示す実施形態では各操作部４を下方に最大に押し下げた位置（最下端位置）が閉位置Ｂで、各操作部４を最大に押し上げた位置（最上端位置）が全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂがほぼ水平となっていてほぼ水平姿勢のダミー操作部３３と面一又はほぼ面一となっており、この場合は、水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならならず、カラン吐水部２ａの使用が便利となる。
【００６９】
もちろん、本発明の水栓装置６において、図６に示す実施形態のように、各操作部４を下方に最大に押し下げた位置（最下端位置）が全開位置Ａで、各操作部４を最大に押し上げた位置（最上端位置）が閉位置Ｂとしてもよいものである。この場合は、例えば、閉位置Ｂがほぼ水平となっていてほぼ水平姿勢のダミー操作部３３と面一又はほぼ面一となっていると、水栓装置６の上方の空間に操作部４が突出せず、この部分を操作部４に邪魔されず、別の用途に使用したり、広い空間として利用できる。
【００７０】
図７乃至図１３は本発明の他の実施形態が示してある。本実施形態においては、カウンター本体４０の下面部に前述の水栓装置６を配設して取付けた水栓装置付きカウンター４１が示してある。本実施形態においては、水栓装置６の大部分はカウンター本体４０の下面側に沿って配設されることでカウンター本体４０により隠されるようになっているが、水栓装置６の複数のレバーハンドル３の各操作部４、ダミー操作部３３、湯温調整用レバーハンドル１８の湯温調整用の操作部１９がカウンター本体４０の前端から前方に突出している。
【００７１】
そして、複数のレバーハンドル３の各操作部４、ダミー操作部３３、湯温調整用レバーハンドル１８の湯温調整用の操作部１９がいずれも略平板状をし、更に、ダミー操作部３３が水平又は略水平となっていて、各操作部４が全て閉状態で水平又は略水平姿勢となると共に、湯温調整用レバーハンドル１８の湯温調整用の操作部１９が略４０℃の位置で略水平姿勢となるように設定しておくと、略平板状の各操作部４、略平板状のダミー操作部３３、略平板状の湯温調整用の操作部１９が面一に連続した全体として一連の水平な板状物のような外観となり、図７（ａ）のように、板状のカウンター本体４０の前端部の下端縁から前方に全体として一連の水平な板状物（操作部）が突出している外観となり、統一感があり、外観がよくなる。
【００７２】
図７乃至図１３に示す実施形態においては、カウンター本体４０の下面部に前述の水栓装置６を配設して取付けた水栓装置付きカウンター４１において、各操作部４は、下方に最大に押し下げた位置（最下端位置）が閉位置Ｂで、各操作部４を最大に押し上げた位置（最上端位置）が全開位置Ａとしてあるが、図１４のように各操作部４を下方に最大に押し下げた位置（最下端位置）が全開位置Ａで、各操作部４を最大に押し上げた位置（最上端位置）が閉位置Ｂとしてもよいものである。
【００７３】
なお、上記した各実施形態においては、ダミー操作部３３を設けた例を示したが、ダミー操作部３３を設けないものであってもよい。
【００７４】
また、上記した各実施形態では２つの吐水部２のうち一方をカラン吐水部２ａ、他方をシャワー吐水部２ｂとした例を示したが、両方ともカラン吐水部２ａであってもよい。
【００７５】
また、上記各実施形態では、２つの吐水部２からの吐水及び吐水停止をそれぞれ独立して行うための２つの弁手段７と、該２つの弁手段７をそれぞれ独立して開閉操作するための２つのレバーハンドル３とを備えた水栓装置６の例で説明したが、吐水部２が３つ以上、弁手段７が３つ以上、レバーハンドル３が３つ以上であってもよい。
【００７６】
なお、本発明の水栓装置においては、複数のレバーハンドル３にそれぞれ上側が押し下げ用の操作部４ａ、下側が押し上げ用の操作部４ｂとなった同じ断面形状の操作部４を設け、該操作部４は押し上げ・押し下げ操作のみが可能なように上下方向にのみ可動自在となり、各レバーハンドル３はそれぞれ操作部４を上に上げた状態又は下に下げた状態の一方が対応する弁手段７の開で他方が閉となり、各操作部４の全開位置Ａの姿勢がそれぞれ同じで各操作部４の閉位置Ｂの姿勢がそれぞれ同じであれば、複数の操作部４は図に示す実施形態のように横方向に並設したものにのみ限定されず、水栓装置６の異なる位置に複数の操作部４を離して配置してもよい。
【図面の簡単な説明】
【００７７】
【図１】本発明の一実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図２】同上の平面断面図である。
【図３】同上の縦断面図である。
【図４】同上の右側図である。
【図５】同上の左側面図である。
【図６】本発明の他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図７】本発明の水栓装置を付設したカウンターの斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図８】同上の平面断面図である。
【図９】同上の縦断面図である。
【図１０】同上の右側図である。
【図１１】同上の左側面図である。
【図１２】同上のカウンター本体に付設する水栓装置を前方から見た斜視図である。
【図１３】同上のカウンター本体に付設する水栓装置を背方から見た斜視図である。
【図１４】本発明の水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図１５】本発明の水栓装置の更に他の実施形態の斜視図である。
【図１６】（ａ）（ｂ）（ｃ）（ｄ）はそれぞれ本発明の複数の操作部の形状が異なる例を示す斜視図である。
【符号の説明】
【００７８】
２  吐水部
３  レバーハンドル
４  操作部
４ａ  押し下げ用の操作部
４ｂ  押し上げ用の操作部
６  水栓装置
７  弁手段
８  立体表示
【図１】
0005314263.tif 000002
【図２】
0005314263.tif 000003
【図３】
0005314263.tif 000004
【図４】
0005314263.tif 000005
【図５】
0005314263.tif 000006
【図６】
0005314263.tif 000007
【図７】
0005314263.tif 000008
【図８】
0005314263.tif 000009
【図９】
0005314263.tif 000010
【図１０】
0005314263.tif 000011
【図１１】
0005314263.tif 000012
【図１２】
0005314263.tif 000013
【図１３】
0005314263.tif 000014
【図１４】
0005314263.tif 000015
【図１５】
0005314263.tif 000016
【図１６】
0005314263.tif 000017